(57)【特許請求の範囲】
【請求項１】
被写体を撮影する撮像手段と、
被写体情報と送信先情報とを関連付けて登録する登録手段と、
前記撮像手段で撮影された動画像中の被写体を検出し、前記登録手段により登録された被写体情報に基づき認証する認証手段と、
前記認証手段で認証された被写体を選択可能に提示する提示手段と、
前記提示手段で提示した被写体のうち、選択された被写体に関連付けられている送信先情報に基づく送信先に、前記動画像に基づく動画像データを送信する送信手段とを備え、
前記認証手段は、前記登録手段により登録されている被写体の認証用画像に基づいて、前記動画像中で検出された被写体を認証し、
前記提示手段は、前記認証手段で認証された被写体について、前記認証用画像、前記動画像データから抜き出した該被写体の写っている動画像、及び前記動画像データから抜き出した該被写体の写っている静止画像のうち少なくともいずれかを選択用画像として表示部に選択可能に表示し、
前記提示手段は、前記認証手段で認証された被写体の前記選択用画像を並べて表示し、その並び順は、前記動画像中で検出された時間が長い被写体順とすることを特徴とする撮像装置。
【請求項２】
被写体を撮影する撮像手段と、
被写体情報と送信先情報とを関連付けて登録する登録手段と、
前記撮像手段で撮影された動画像中の被写体を検出し、前記登録手段により登録された被写体情報に基づき認証する認証手段と、
前記認証手段で認証された被写体を選択可能に提示する提示手段と、
前記提示手段で提示した被写体のうち、選択された被写体に関連付けられている送信先情報に基づく送信先に、前記動画像に基づく動画像データを送信する送信手段とを備え、
前記認証手段は、前記登録手段により登録されている被写体の認証用画像に基づいて、前記動画像中で検出された被写体を認証し、
前記提示手段は、前記認証手段で認証された被写体について、前記認証用画像、前記動画像データから抜き出した該被写体の写っている動画像、及び前記動画像データから抜き出した該被写体の写っている静止画像のうち少なくともいずれかを選択用画像として表示部に選択可能に表示し、
前記提示手段は、前記認証手段で認証された被写体の前記選択用画像を並べて表示し、その並び順は、予め被写体ごとに設定された優先順位が高い順とすることを特徴とする撮像装置。
【請求項３】
前記認証用画像は、人物の顔を特定する情報を含むことを特徴とする請求項１又は２に記載の撮像装置。
【請求項４】
前記提示手段は、前記認証用画像が登録されている被写体であって、前記認証手段で認証されなかった被写体の認証用画像を、前記認証手段で認証された被写体の前記選択用画像と区別して前記表示部に選択可能に表示することを特徴とする請求項１乃至３のいずれか１項に記載の撮像装置。
【請求項５】
前記認証用画像が登録されている各被写体に送信条件が関連付けられており、
前記送信手段は、前記送信条件に応じたかたちで前記動画像データを送信することを特徴とする請求項１乃至４のいずれか１項に記載の撮像装置。
【請求項６】
前記動画像データを複製、編集して、被写体ごとに該被写体が検出された部分を抜き出すことのできる編集手段を備え、
前記送信条件には、前記編集した動画像データを送信する条件が含まれることを特徴とする請求項５に記載の撮像装置。
【請求項７】
前記動画像データに基づいて、被写体ごとに該被写体が検出されている区間を示し、再生時に該区間だけ再生できるプレイリストを作成するプレイリスト作成手段を備え、
前記送信条件には、前記動画像データと、前記プレイリストとを送信する条件が含まれることを特徴とする請求項５に記載の撮像装置。
【請求項８】
被写体を撮影する撮像手段を備えた撮像装置の制御方法であって、
前記撮像手段で撮影された動画像中の被写体を検出し、被写体情報と送信先情報とを関連付けて登録する登録手段により登録された被写体情報に基づき認証するステップと、
前記認証された被写体を選択可能に提示するステップと、
前記提示した被写体のうち、選択された被写体に関連付けられている送信先情報に基づく送信先に、前記動画像に基づく動画像データを送信するステップとを有し、
前記認証するステップは、前記登録手段により登録されている被写体の認証用画像に基づいて、前記動画像中で検出された被写体を認証し、
前記提示するステップは、前記認証するステップで認証された被写体について、前記認証用画像、前記動画像データから抜き出した該被写体の写っている動画像、及び前記動画像データから抜き出した該被写体の写っている静止画像のうち少なくともいずれかを選択用画像として表示部に選択可能に表示し、
前記提示するステップは、前記認証するステップで認証された被写体の前記選択用画像を並べて表示し、その並び順は、前記動画像中で検出された時間が長い被写体順とすることを特徴とする撮像装置の制御方法。
【請求項９】
被写体を撮影する撮像手段を備えた撮像装置の制御方法であって、
前記撮像手段で撮影された動画像中の被写体を検出し、被写体情報と送信先情報とを関連付けて登録する登録手段により登録された被写体情報に基づき認証するステップと、
前記認証された被写体を選択可能に提示するステップと、
前記提示した被写体のうち、選択された被写体に関連付けられている送信先情報に基づく送信先に、前記動画像に基づく動画像データを送信するステップとを有し、
前記認証するステップは、前記登録手段により登録されている被写体の認証用画像に基づいて、前記動画像中で検出された被写体を認証し、
前記提示するステップは、前記認証するステップで認証された被写体について、前記認証用画像、前記動画像データから抜き出した該被写体の写っている動画像、及び前記動画像データから抜き出した該被写体の写っている静止画像のうち少なくともいずれかを選択用画像として表示部に選択可能に表示し、
前記提示するステップは、前記認証するステップで認証された被写体の前記選択用画像を並べて表示し、その並び順は、予め被写体ごとに設定された優先順位が高い順とすることを特徴とする撮像装置の制御方法。
【請求項１０】
撮像装置のコンピュータを、請求項１乃至７のいずれか１項に記載の撮像装置の各手段として機能させるためのプログラム。
【発明の詳細な説明】
【技術分野】
【０００１】
本発明は、撮影した動画像データを特定の相手に送信するのに利用して好適な撮像装置、その制御方法及びプログラムに関する。
【背景技術】
【０００２】
近年、無線ＬＡＮ装置が一般家庭にも普及してきており、ＰＣカード型無線ＬＡＮ端末を装着したノートＰＣ、無線ＬＡＮを内蔵した携帯端末等を用いて、無線ＬＡＮアクセスポイントがある場所で手軽にデータ通信ができる環境が広がっている。一方、カメラ機器においても、専用の外付け無線ＬＡＮアダプタが用意されているカメラや、無線ＬＡＮ機能が内蔵されているカメラが発売されており、該カメラで撮影した画像を、所定のサーバや画像共有サイト、又は特定の機器に対して、ＰＣや携帯端末を必要とせずに画像を送信することができる。
【０００３】
このようなカメラのシステムに関して、例えば特許文献１が提案されている。特許文献１では、被写体を示す被写体情報と、画像の送信先を示す送信先情報とを対応付けて管理し、識別された被写体に対応している送信先に対して、撮影した画像データを送信するシステムに関して言及されている。
【先行技術文献】
【特許文献】
【０００４】
【特許文献１】特開２００９−１５２６８９号公報
【発明の概要】
【発明が解決しようとする課題】
【０００５】
特許文献１では、静止画像データを送信することに関して述べられているが、撮影した動画像データを送信するビデオカメラ等において、複数の人物が撮影され、かつ撮影中に人物が出入りする場合等に適応することができない問題がある。
【０００６】
本発明は上記の点に鑑みてなされたものであり、撮影した動画像データを、簡単かつ確実に、被写体となった人物に送信できるようにすることを目的とする。
【課題を解決するための手段】
【０００７】
本発明の撮像装置は、被写体を撮影する撮像手段と、被写体情報と送信先情報とを関連付けて登録する登録手段と、前記撮像手段で撮影された動画像中の被写体を検出し、前記登録手段により登録された被写体情報に基づき認証する認証手段と、前記認証手段で認証された被写体を選択可能に提示する提示手段と、前記提示手段で提示した被写体のうち、選択された被写体に関連付けられている送信先情報に基づく送信先に、前記動画像に基づく動画像データを送信する送信手段とを備え、前記認証手段は、前記登録手段により登録されている被写体の認証用画像に基づいて、前記動画像中で検出された被写体を認証し、前記提示手段は、前記認証手段で認証された被写体について、前記認証用画像、前記動画像データから抜き出した該被写体の写っている動画像、及び前記動画像データから抜き出した該被写体の写っている静止画像のうち少なくともいずれかを選択用画像として表示部に選択可能に表示し、前記提示手段は、前記認証手段で認証された被写体の前記選択用画像を並べて表示し、その並び順は、前記動画像中で検出された時間が長い被写体順とすることを特徴とする。
【発明の効果】
【０００８】
本発明によれば、撮影した動画像データを、簡単かつ確実に、被写体となった人物に送信することができる。
【図面の簡単な説明】
【０００９】
【図１】第１の実施形態に係るデジタルビデオカメラの構成を示すブロック図である。
【図２】第１の実施形態に係るデジタルビデオカメラの外観を示す図である。
【図３Ａ】第１の実施形態に係るデジタルビデオカメラの動画撮影モードにおける動作を示すフローチャートである。
【図３Ｂ】図３Ａのフローチャートにおける顔認証処理を示すフローチャートである。
【図４】第１の実施形態に係るデジタルビデオカメラによる撮影結果のファイル構成の例を示す図である。
【図５】表示ディスプレイに表示される画面の例を示す図である。
【図６】データベースの登録内容を説明するための図である。
【図７】第１の実施形態に係るデジタルビデオカメラによる撮影内容の例を示す図である。
【図８】人物リストの例を示す図である。
【図９】送信リストの例を示す図である。
【図１０】表示ディスプレイに表示されるインデックス画面の他の例を示す図である。
【図１１】表示ディスプレイに表示されるインデックス画面の他の例を示す図である。
【図１２Ａ】第２の実施形態に係るデジタルビデオカメラの動画撮影モードにおける動作を示すフローチャートである。
【図１２Ｂ】図１２Ａのフローチャートにおける顔認証処理を示すフローチャートである。
【図１３】第２の実施形態に係るデジタルビデオカメラによる撮影結果のファイル構成の例を示す図である。
【図１４】データベースの登録内容を説明するための図である。
【図１５】送信リストの例を示す図である。
【図１６】プレイリストの内容を説明するための図である。
【図１７】プレイリストの構成を説明するための図である。
【図１８】表示ディスプレイに表示されるインデックス画面の他の例を示す図である。
【発明を実施するための形態】
【００１０】
以下、添付図面を参照して、本発明の好適な実施形態について説明する。本実施形態では、本発明をデジタルビデオカメラに適用した例を説明する。
（第１の実施形態）
図１は、第１の実施形態に係るデジタルビデオカメラの構成を示すブロック図である。
１０１は撮影レンズであり、被写体像を取り込む。１０２は絞りであり、撮像素子１０３への光量を制御する。１０３は撮像素子であり、撮影レンズ１０１で取り込んだ被写体像を画像信号に変換する。１０４はＣＤＳ／ＡＧＣであり、撮像素子１０３で変換された画像信号をサンプルホールドし、適正な信号レベルにする。１０５はデジタル信号処理回路であり、ＣＤＳ／ＡＧＣ１０４からの画像信号をＡ／Ｄ変換し、デジタル信号処理を行う。１０６はフレームメモリであり、デジタル信号処理回路１０５からの生データを１フレーム分ずつ蓄積する。１０７は画素数変換回路であり、フレームメモリ１０６の画素をＭＰＥＧ方式での記録のために、設定された画素数に変換する。
【００１１】
１０８は各ブロック間の画像データが通る画像データバスである。
１０９は顔認証ブロックであり、撮像素子１０３で撮影された動画像中の人物を検出し、顔認証する。具体的には、被写体の人物を検出して、その顔の特徴を抽出し、データベースに登録されている顔認証用画像と比較して、特徴が一致する顔があるか否かを判定する。データベースには、人物の顔認証用画像と、顔認証用画像が登録されている各人物に関連付けられたメールアドレス又はＵＲＬとが予め登録されている。
【００１２】
１１０は表示部となる表示ディスプレイを構成する液晶パネルであり、再生モード時にはＭＰＥＧコーデック１１２からの再生画像データを、撮影時には撮像素子１０３で撮影された映像を表示する。１１０ａは液晶パネル１１０と一体に構成されたタッチパネルであり、ユーザがどの位置に触れたかを検知し、液晶パネル１１０に表示される押しボタングラフィック画面とともにユーザインターフェースを構成する。１１１は液晶ドライバであり、液晶パネル１１０を駆動する。
【００１３】
１１２はＭＰＥＧコーデックであり、画像データバス１０８からのデジタル画像信号をＭＰＥＧ方式による圧縮符号化を行うとともに、フラッシュメモリカード１１７に記録されたＭＰＥＧ圧縮データを伸長する。
１１３はＵＳＢ端子であり、ＵＳＢコントローラ１１４からのデータを出力する。１１４はＵＳＢコントローラであり、フラッシュメモリカード１１７に記録された、ＭＰＥＧ方式の画像データをそのまま外部に出力する。
１１５はストリームバッファであり、ＭＰＥＧコーデック１１２のデータ出力速度と、フラッシュメモリカード１１７の書き込み速度との差を吸収するため、一時的にＭＰＥＧ圧縮データを蓄積する。
【００１４】
１１６はフラッシュメモリカードドライバ／スロットであり、フラッシュメモリカード１１７の記録、読み出しを制御する。１１６ａはフラッシュメモリカードドライバ／スロット１１６に備えられたフラッシュメモリカード検出スイッチであり、フラッシュメモリカード１１７の在否を検出する。１１７はフラッシュメモリカードであり、画像データバス１０８からのＭＰＥＧ圧縮データを記録する。
１１８は無線ＬＡＮ送受信部であり、無線にて外部ネットワークとの間でデータを送受信する。１１９は無線ＬＡＮ送受信部１１８に接続される送受信アンテナである。
【００１５】
１２０はユーザが操作を行うための操作キーである。
１２１はＲＡＭであり、メインマイコン１２２が一時的なデータを保管する。
１２２はメインマイコンであり、機器全体のモードを制御したり、操作キー１２０を検出して各種機能の実行を制御したりする。
１２３はメモリであり、メインマイコン１２２が実行する制御プログラム、データベース等を保持する。また、本体電源が切れている間も保持が必要な情報を記憶する、不揮発性メモリであるＥＥＰＲＯＭを含む。
１２４は制御信号バスであり、メインマイコン１２２と各ブロックの間で、本体のモードや状態に応じた制御信号及びレスポンス信号が転送される。
【００１６】
図２は、第１の実施形態に係るデジタルビデオカメラの外観を示す図である。２００はデジタルビデオカメラ本体である。２０１は操作キー１２０に含まれる撮影トリガスイッチであり、動画撮影の開始及び終了を指示する。２０２はタッチパネルを備えた表示ディスプレイである（図１の液晶パネル１１０及びタッチパネル１１０ａに相当）。２０３はフラッシュメモリカードである（図１のフラッシュメモリカード１１７に相当）。
【００１７】
次に、第１の実施形態に係るデジタルビデオカメラの動作を説明する。図３Ａは、第１の実施形態に係るデジタルビデオカメラの動画撮影モードにおける動作を示すフローチャートである。
ステップＳ３０１で動画撮影モードがスタートすると、ステップＳ３０２で、メインマイコン１２２は、フラッシュメモリカード検出スイッチ１１６ａを介してフラッシュメモリスロット１１６にフラッシュメモリカード１１７が装着されているか否かを検出する。ステップＳ３０２においてフラッシュメモリカード１１７が装着されていると検出された場合、ステップＳ３０３で、フラッシュメモリカード１１７のマウントを行い、記録ドライブとして使用が可能となる。そして、ステップＳ３０４で、メインマイコン１２２は、フラッシュメモリカード１１７の空き容量を検出し、動画記録可能な残り時間を算出する。さらに、ステップＳ３０５で、メインマイコン１２２は、フラッシュメモリカード１１７に再生可能な動画像データが記録されているか否かを検出する。再生可能な動画像データが記録されていた場合、ステップＳ３０６で、既に記録されている動画クリップ番号の最大値を検出し、Ｎの値としてセットする。また、再生可能な動画像データが記録されていない場合、ステップＳ３０７で、Ｎの値＝０にセットする。
【００１８】
次に、ステップＳ３０８で、メインマイコン１２２は、Ｎの値を１つインクリメントし、次回の動画クリップ番号としてセットする。
その後、ステップＳ３０９で、ユーザによる録画開始の操作待ちとなり、該操作が行われると動画像の録画を開始する。ステップＳ３１０で、撮影された動画像データをＭＰＥＧコーデック１１２で符号化したＭＰＥＧ符号化データの、ストリームバッファ１１５への蓄積を開始する。
【００１９】
ステップＳ３１１で、メインマイコン１２２の制御下で、顔認証ブロック１０９による顔認証処理を開始する。図３Ｂは、ステップＳ３１１の顔認証処理を示す。ステップＳ３２９で顔認証ブロック１０９の動作が開始すると、ステップＳ３３０で、被写体の人物を検出して、その顔の特徴を抽出し、データベースに登録されている顔認証用画像と比較して、特徴が一致する顔があるか否かを判定する。特徴が一致する顔があると判定した場合、ステップＳ３３１で、検出された人物のリスト（以下、人物リストと称する）を作成する。このステップＳ３３０、Ｓ３３１の処理は、ステップＳ３３２で顔認証処理の停止要求を検出するまで継続する。顔認証処理の停止要求を検出すると、ステップＳ３３３で、顔認証ブロック１０９の動作は停止する。
【００２０】
また、ステップＳ３１２で、メインマイコン１２２の制御下で、「￥ＶＩＤＥＯ￥ＣＬＩＰ（Ｎの４桁表記）￥（Ｎの４桁表記）．ＭＰＧ」のファイル名で動画像ファイルを作成する。図４に、撮影の結果得られたファイルが保存されるディレクトリ構成の例を示す。ＶＩＤＥＯフォルダ４０１の下にＣＬＩＰ０００１フォルダ４０２があり、その下に動画像ファイル「０００１．ＭＰＧ」４０３が保存される。そして、ステップＳ３１３で、該動画像ファイルへの動画像データの記録を開始する。ステップＳ３１４で、ユーザによる録画停止の操作があるか否かを判定し、録画停止の操作を検出するまで、動画像ファイルへの動画ストリーム書き込みを継続する。
【００２１】
ユーザによる録画停止の操作を検出した場合、ステップＳ３１５で、メインマイコン１２２は、顔認証ブロック１０９による顔認証処理の停止要求を出し、顔認証ブロック１０９の動作は停止する。また、ステップＳ３１６で、ＭＰＥＧ符号化データのストリームバッファ１１５への蓄積を停止し、ステップＳ３１７で、動画像ファイルをクローズする。
【００２２】
ステップＳ３１８で、メインマイコン１２２は、人物リストの有無を判定する。人物リストがあれば、ステップＳ３１９に遷移する。人物リストがなければ、ステップＳ３０８に処理を戻す。
ステップＳ３１９で、メインマイコン１２２は、図５（ａ）に示す例のように、動画像ファイルの送信を行うか否かをユーザに問い合わせる送信問い合わせ画面を表示ディスプレイ（液晶パネル１１０）に表示する。そして、ステップＳ３２０で、メインマイコン１２２は、送信希望があるか否かを判定する。送信問い合わせ画面において、ユーザが「はい」ボタン５０１にタッチしたことを検知すると、ステップＳ３２１に遷移する。ユーザが「いいえ」ボタン５０２にタッチしたことを検知すると、ステップＳ３０８に処理を戻す。
【００２３】
ステップＳ３２１で、メインマイコン１２２は、人物リストに登録された人物（顔認証された人物）を選択可能に提示するインデックス画面を液晶パネル１１０に表示する。インデックス画面では、人物リストに登録された人物について、図５（ｂ）に示すように、データベースに登録されている顔認証用画像のサムネイル画像５０３〜５０５を並べて表示する。そして、ステップＳ３２２で、メインマイコン１２２は、ユーザによる送信先指定があるか否かを判定する。図５（ｂ）に示すように、ユーザはインデックス画面に表示されているサムネイル画像５０３〜５０５を選択することにより、送信先を指定することができる。送信先を指定する操作があった場合、ステップＳ３２３で、メインマイコン１２２は、送信先として指定された人物の送信先をデータベースと照合し、送信先として指定された人物のメールアドレス又はＵＲＬを送信リストに登録する。なお、送信先指定がない場合、ステップＳ３２５に遷移する。
【００２４】
ステップＳ３２５で、メインマイコン１２２は、ユーザによる選択終了の操作（選択終了ボタン５０６のタッチ）があるか否かを検出する。選択終了の操作があった場合、ステップＳ３２６で、メインマイコン１２２は、図５（ｃ）に示すように、送信の最終確認画面を表示パネル１１０に表示する。そして、ステップＳ３２７で、メインマイコン１２２は、ユーザによる送信実行指示があるか否かを判定する。送信の最終確認画面において、ユーザが「はい」ボタン５０７にタッチしたことを検知すると、ステップＳ３２８で、送信リストに登録されたメールアドレス又はＵＲＬに、該動画像ファイルを送信する。このとき、図５（ｄ）に示すように、サムネイル画像上にアイコン５０９を表示し、どの送信先に動画像ファイルを送信中（又は送信済み）であるかを明示するようにしても良い。なお、ユーザが「いいえ」ボタン５０８にタッチしたことを検知すると、動画像ファイルの送信は実行せず、ステップＳ３０８に処理を戻す。
【００２５】
ここで、図６（ａ）、（ｂ）に示すように、データベースには、「人物Ａ」、「人物Ｂ」、「人物Ｃ」、「人物Ｄ」、「人物Ｅ」、「人物Ｆ」の６人が登録されている。図６（ａ）において、「ＮＡＭＥ＝」は人物の名前、「ＴＨＵＭＢ＝」は顔認証用画像ファイル、「ＡＤＤＲ＝」は送信先のメールアドレス又はＵＲＬを表す。図６（ｂ）は、顔認証用画像ファイルの実体の画像を示す。
【００２６】
デジタルビデオカメラを用いて、図７に示すような動画撮影を行い、動画撮影中に「人物Ａ」、「人物Ｂ」、「人物Ｃ」が顔認証され、このうち「人物Ａ」、「人物Ｃ」に対して動画像ファイルを送信する場合の操作及び動作の詳細について説明する。図７において、７０１は撮影する動画の内容を表す。７０２は動画撮影中に顔認証ブロック１０９によって検出、認証された人物を表す。７０３は顔認証された人物が、撮影された動画中で、顔認証ブロック１０９によって検出されている期間を表す。
【００２７】
動画撮影モードがスタートし（ステップＳ３０１）、フォーマットされたフラッシュメモリカード１１７を装着すると（ステップＳ３０２）、マウントが行われ（ステップＳ３０３）、動画像ファイルの記録媒体として使用可能となる。次に、フラッシュメモリカード１１７の空き容量が検出され（ステップＳ３０４）、既に記録されている動画像ファイルの有無が検索される（ステップＳ３０５）。本動作例ではフォーマット直後のフラッシュメモリカード１１７であるので、Ｎ＝０がセットされる（ステップＳ３０７）。
次に、Ｎの値が１つインクリメントされてＮ＝１となり（ステップＳ３０８）、録画開始の操作待ちとなる（ステップＳ３０９）。ユーザが撮影トリガスイッチ２０１を操作すると、動画像の録画が開始され（ステップＳ３０９）、撮影された動画像データを符号化したＭＰＥＧ符号化データの、ストリームバッファ１１５への蓄積が開始される（ステップＳ３１０）。「￥ＶＩＤＥＯ￥ＣＬＩＰ０００１￥０００１．ＭＰＧ」のファイル名で動画像ファイルが作成された後（ステップＳ３１２）、随時フラッシュメモリカード１１７へ書き込まれる。
【００２８】
また、顔認証ブロック１０９による顔認証処理が開始される（ステップＳ３１１）。顔認証ブロック１０９では、被写体の人物を検出して、その顔の特徴を抽出し、データベースに登録されている顔認証用画像（図６（ｂ）を参照）と比較して、特徴が一致する顔があるか否かを判定する。両者の差分が少ない場合、検出された顔がどの顔認証用画像の人物であるか否かを特定する。本動作例では、図７に示すように、録画開始後、０分乃至１分及び４分乃至５分の部分で人物Ａが、２分乃至４分の部分で人物Ｂが、１分乃至２分及び３分乃至４分及び５分乃至６分の部分で人物Ｃが被写体となっていることが特定される。一連の動画撮影の結果、人物リストは、図８に示すものとなる（ステップＳ３３１）。
【００２９】
ユーザが再び撮影トリガスイッチ２０１を操作すると、動画像の録画が停止し（ステップＳ３１４）、顔認証ブロック１０９による顔認証処理が停止する（ステップＳ３１５）。同時に、ＭＰＥＧ符号化データのストリームバッファ１１５への蓄積が停止し（ステップＳ３１６）、ファイル「￥ＶＩＤＥＯ￥ＣＬＩＰ０００１￥０００１．ＭＰＧ」がクローズされ（ステップＳ３１７）、動画像ファイルが確定する。
【００３０】
その後、顔認証ブロック１０９による顔認証処理の結果、作成された人物リストの有無が判定される（ステップＳ３１８）。本動作例では、図８に示すように、「人物Ａ」、「人物Ｂ」、「人物Ｃ」が登録された人物リストが作成されているので、図５（ａ）に示すように、送信問い合わせ画面が表示される（ステップＳ３１９）。ユーザがタッチパネルにて該画面の「はい」ボタン５０１にタッチすると（ステップＳ３２０）、インデックス画面が表示される（ステップＳ３２１）。インデックス画面では、図５（ｂ）に示すように、「人物Ａ」、「人物Ｂ」、「人物Ｃ」の、データベースに登録されている顔認証用画像を縮小したサムネイル画像５０３〜５０５が並べて表示される。
ここで、ユーザが「人物Ａ」に動画像ファイルを送ろうとして、「人物Ａ」のサムネイル画像５０３にタッチすると、ユーザによる送信先指定があったと判定される（ステップＳ３２２）。その結果、データベースから「人物Ａ」のアドレスが検索され（ステップＳ３２３）、該アドレスが、図９に示すように、送信リストに登録される（ステップＳ３２４）。ステップＳ３２２乃至Ｓ３２４の送信先選択状態は、ユーザが選択終了ボタン５０６にタッチするまで継続される（ステップＳ３２５）。さらに、ユーザが「人物Ｃ」のサムネイル画像５０５にタッチすると、「人物Ａ」と同様に、送信リストに登録される（図９を参照）。
ユーザが選択終了ボタン５０６にタッチすると（ステップＳ３２５）、図５（ｃ）に示すように、送信の最終確認画面が表示される。ユーザが「はい」ボタン５０７にタッチすると（ステップＳ３２７）、送信リストに登録された「人物Ａ」のアドレス「ａａａ＠ａ１．ａｂｃｄ．ｎｅ．ｊｐ」及び「人物Ｃ」のアドレス「ｃｃｃ＠ａ１．ａｂｃｄ．ｎｅ．ｊｐ」に、動画像ファイル「￥ＶＩＤＥＯ￥ＣＬＩＰ０００１￥０００１．ＭＰＧ」が、送信される（ステップＳ３２８）。
【００３１】
以上述べたように、本実施形態に係るデジタルビデオカメラでは、動画撮影中全編にわたって被写体の人物を検出して顔認証し、顔認証された人物を選択可能に提示して、動画像ファイルの送信先として選択できるようにした。これにより、撮影した動画像データを、簡単かつ確実に、被写体となった人物に送信することができる。
【００３２】
第１の実施形態では、動画撮影後に表示されるインデックス画面において、データベースへの登録順に顔認証された人物のサムネイル画像を表示するようにしたが、それに限定されるものではない。例えば動画撮影中で検出された時間が長い人物順にサムネイル画像を表示する構成でも良い。図７に示すような動画撮影を行った場合、「人物Ａ」は２分間、「人物Ｂ」は２分間、「人物Ｃ」は３分間検出されているので、インデックス画面において、図１０に示すように、「人物Ｃ」のサムネイル画像が先頭に表示されることになる。なお、各人物の検出時間（すなわち動画撮影中での登場時間）も合わせて表示するようにしても良い。これにより、動画撮影中、最も長く登場した人物を視覚的に容易に判定し、動画像ファイルを送信することができる効果がある。
また、予め人物ごとに設定された優先順位が高い順にサムネイル画像を表示する構成でも良い。
【００３３】
また、第１の実施形態では、動画撮影後に表示されるインデックス画面において、動画撮影中に検出、認証された「人物Ａ」、「人物Ｂ」、「人物Ｃ」のサムネイル画像のみを表示するようにしたが、それに限定されるものではない。例えばデータベースに登録されているものの、動画撮影中に検出、認証されなかった「人物Ｄ」、「人物Ｅ」、「人物Ｆ」のサムネイル画像も表示するようにしても良い。この場合、図１１に示すように、動画撮影中に検出、認証された人物のサムネイル画像と、検出、認証されなかった人物のサムネイル画像とは区別して表示する。これにより、動画撮影中に登場しなかった人物の宛先にも、補助的に動画像ファイルを送信することができる。
【００３４】
（第２の実施形態）
静止画像の場合、送信先となる人物が明確に写っているか否かが明確であるが、動画像の場合は、撮影中に人物が出入りするので、長い撮影時間のほんの一部でのみ登場する人物もいる。このような場合に、長い撮影時間のほんの一部でのみ登場する人物としては、動画像が全編送られてきても、記録メディアの容量を消費するだけで有難くないということもある。
そこで、第２の実施形態では、撮影した動画像データを、簡単かつ確実に、被写体となった人物に送信できるようにするとともに、送信条件を予め設定できるようにしている。なお、デジタルカメラの構成は第１の実施形態と同様であり、ここではその説明を省略する。
【００３５】
図１４（ａ）、（ｂ）に、第２の実施形態におけるデータベースの登録内容を示す。第１の実施形態の図６（ａ）、（ｂ）と同様、「人物Ａ」、「人物Ｂ」、「人物Ｃ」、「人物Ｄ」、「人物Ｅ」、「人物Ｆ」の６人が登録されており、第１の実施形態との違いは、送信条件であるリクエスト情報「ＳＥＮＤ＝」が登録されている点である。リクエスト情報は、動画像を選択して送信するための選択条件を決定する情報であり、設定される値として「ＡＬＬ」、「ＰＬＡＹＬＩＳＴ」、「ＥＤＩＴ」等が定義されている。「ＡＬＬ」は、記録動画のすべてを送信することを意味する。「ＥＤＩＴ」は、記録動画の中で、対応する人物が認識された部分のみを送信することを意味する。「ＰＬＡＹＬＩＳＴ」は、記録動画のすべてと、後述するプレイリストファイルとを送信することを意味する。
【００３６】
次に、第２の実施形態に係るデジタルビデオカメラの動作を説明する。図１２Ａは、第２の実施形態に係るデジタルビデオカメラの動画撮影モードにおける動作を示すフローチャートである。なお、第１の実施形態の図３Ａと同様の処理には同一の符号を付し、以下では第１の実施形態との違いを中心に説明する。
【００３７】
ステップＳ３１１で、メインマイコン１２２の制御下で、顔認証ブロック１０９による顔認証処理を開始する。図１２Ｂは、ステップＳ３１１の顔認証処理を示す。ステップＳ３２９で顔認証ブロック１０９の動作が開始すると、ステップＳ３３０で、被写体の人物を検出して、その顔の特徴を抽出し、データベースに登録されている顔認証用画像と比較して、特徴が一致する顔があるか否かを判定する。特徴が一致する顔があると判定した場合、ステップＳ３３１で、人物リストを作成する。さらに、第２の実施形態では、ステップＳ１２０１で、撮影中の動画クリップの中で、人物ごとに該人物が検出されている区間を示し、再生時に該区間だけ再生できるプレイリストを作成、更新する。このステップＳ３３０、Ｓ３３１、Ｓ１２０１の処理は、ステップＳ３３２で顔認証処理の停止要求を検出するまで継続する。顔認証処理の停止要求を検出すると、ステップＳ３３３で、顔認証ブロック１０９の動作は停止する。
【００３８】
ステップＳ３２３で、メインマイコン１２２は、送信先として指定された人物の送信先をデータベースと照合し、送信先として指定された人物のメールアドレス又はＵＲＬを送信リストに登録するとともに、第２の実施形態では、送信リストに送信条件に応じた画像ファイル名も登録する。
【００３９】
ステップＳ３２６で、メインマイコン１２２は、図５（ｃ）に示すように、送信の最終確認画面を表示パネル１１０に表示する。そして、ステップＳ３２７で、メインマイコン１２２は、ユーザによる送信実行指示があるか否かを判定する。送信の最終確認画面において、ユーザが「はい」ボタン５０７にタッチしたことを検知すると、ステップＳ１２０２で、送信リストに登録された人物のリクエスト情報に、「ＥＤＩＴ」等の編集が必要なＭＰＧファイルが含まれているか否かを判定する。「ＥＤＩＴ」が含まれている場合、ステップＳ１２０３で、特定の人物が認証された期間のみを抽出するため、動画像ファイルの複製、編集を行い、その後、ステップＳ３２８で、送信リストに登録されたメールアドレス又はＵＲＬに、該動画像ファイルを送信する。なお、「ＥＤＩＴ」が要求されていない場合、ステップＳ３２８に遷移する。
【００４０】
デジタルビデオカメラを用いて、図７に示すような動画撮影を行い、動画撮影中に「人物Ａ」、「人物Ｂ」、「人物Ｃ」が顔認証され、このうち「人物Ａ」、「人物Ｃ」に対して動画像ファイルを送信する場合の操作及び動作の詳細について説明する。
【００４１】
動画撮影モードがスタートし（ステップＳ３０１）、フォーマットされたフラッシュメモリカード１１７を装着すると（ステップＳ３０２）、マウントが行われ（ステップＳ３０３）、動画像ファイルの記録媒体として使用可能となる。次に、フラッシュメモリカード１１７の空き容量が検出され（ステップＳ３０４）、既に記録されている動画像ファイルの有無が検索されるが（ステップＳ３０５）、本動作例ではフォーマット直後のフラッシュメモリカード１１７であるので、Ｎ＝０がセットされる（ステップＳ３０７）。
次に、Ｎの値が１つインクリメントされてＮ＝１となり（ステップＳ３０８）、録画開始の操作待ちとなる（ステップＳ３０９）。ユーザが撮影トリガスイッチ２０１を操作すると、動画像の録画が開始され（ステップＳ３０９）、撮影された動画像データを符号化したＭＰＥＧ符号化データの、ストリームバッファ１１５への蓄積が開始される（ステップＳ３１０）。「￥ＶＩＤＥＯ￥ＣＬＩＰ０００１￥０００１．ＭＰＧ」のファイル名で動画像ファイルが作成された後（ステップＳ３１２）、随時フラッシュメモリカード１１７へ書き込まれる。
【００４２】
また、顔認証ブロック１０９による顔認証処理が開始される（ステップＳ３１１）。顔認証ブロック１０９では、被写体の人物を検出して、その顔の特徴を抽出し、データベースに登録されている顔認証用画像（図１４（ｂ）を参照）と比較して、特徴が一致する顔があるか否かを判定する。両者の差分が少ない場合、検出された顔がどの顔認証用画像の人物であるか否かを特定する。本動作例では、図７に示すように、録画開始後、０分乃至１分及び４分乃至５分の部分で人物Ａが、２分乃至４分の部分で人物Ｂが、１分乃至２分及び３分乃至４分及び５分乃至６分の部分で人物Ｃが被写体となっていることが特定される。一連の動画撮影の結果、人物リストは、図８に示すものとなる（ステップＳ３３１）。また、撮影中の動画クリップの中で、人物が検出されている区間を示し、再生時に該区間だけ再生できるプレイリストが作成、更新される（ステップＳ１２０１）。この結果、図１３に示すように、ＶＩＤＥＯフォルダ１３０１の下にＣＬＩＰ０００１フォルダ１３０２があり、その下に動画像ファイル「０００１．ＭＰＧ」１３０３と、人物Ａに対応するプレイリスト「Ｐ００１＿０００１．ＰＬＳ」１３０４、人物Ｂに対応するプレイリスト「Ｐ００２＿０００１．ＰＬＳ」１３０５、及び人物Ｃに対応するプレイリスト「Ｐ００３＿０００１．ＰＬＳ」１３０６が作成、保存される。図１６（ａ）〜（ｃ）には、各プレイリスト１３０４〜１３０６の内容を示す。
図１７は、図１６のプレイリストの構成を図で説明したものである。１７０１は元の記録画像を表す。１７０２は図１６（ａ）のプレイリスト１３０４の内容を表す。１７０３は図１６（ｂ）のプレイリスト１３０５の内容を表す。１７０４は図１６（ｃ）のプレイリスト１３０６の内容を表す。
【００４３】
ユーザが再び撮影トリガスイッチ２０１を操作すると、動画像の録画が停止し（ステップＳ３１４）、顔認証ブロック１０９による顔認証処理が停止する（ステップＳ３１５）。同時に、ＭＰＥＧ符号化データのストリームバッファ１１５への蓄積が停止し（ステップＳ３１６）、ファイル「￥ＶＩＤＥＯ￥ＣＬＩＰ０００１￥０００１．ＭＰＧ」がクローズされ（ステップＳ３１７）、動画像ファイルが確定する。
【００４４】
その後、顔認証ブロック１０９による顔認証処理の結果、作成された人物リストの有無が判定される（ステップＳ３１８）。本動作例では、図８に示すように、「人物Ａ」、「人物Ｂ」、「人物Ｃ」が登録された人物リストが作成されているので、図５（ａ）に示すように、送信問い合わせ画面が表示される（ステップＳ３１９）。ユーザがタッチパネルにて該画面の「はい」ボタン５０１にタッチすると（ステップＳ３２０）、インデックス画面が表示される（ステップＳ３２１）。インデックス画面では、図５（ｂ）に示すように、「人物Ａ」、「人物Ｂ」、「人物Ｃ」の、データベースに登録されている顔認証用画像を縮小したサムネイル画像５０３〜５０５が並べて表示される。
ここで、ユーザが「人物Ａ」に動画像ファイルを送ろうとして、「人物Ａ」のサムネイル画像５０３にタッチすると、ユーザによる送信先指定があったと判定される（ステップＳ３２２）。その結果、データベースから「人物Ａ」のアドレスが検索され（ステップＳ３２３）、該アドレスが、図１５に示すように、送信リストに登録される（ステップＳ３２４）。ステップＳ３２２乃至Ｓ３２４の送信先選択状態は、ユーザが選択終了ボタン５０６にタッチするまで継続される（ステップＳ３２５）。本動作例では、図１５に示すように、「人物Ａ」、「人物Ｂ」、「人物Ｃ」が送信先指定されたものとする。
ユーザが選択終了ボタン５０６にタッチすると（ステップＳ３２５）、図５（ｃ）に示すように、送信の最終確認画面が表示される。ユーザが「はい」ボタン５０７にタッチすると（ステップＳ３２７）、送信リストに登録された人物のリクエスト情報に、「ＥＤＩＴ」が含まれているか判定される（ステップＳ１２０２）。本動作例では、「人物Ａ」は「ＡＬＬ」で登録され、「人物Ｂ」は「ＰＬＡＹＬＩＳＴ」で登録されているが、「人物Ｃ」は「ＥＤＩＴ」で登録されている。したがって、「人物Ｃ」が動画クリップに登場している部分を示しているプレイリスト「Ｐ００３＿０００１．ＰＬＳ」１３０６の内容に従って、動画像ファイル「￥ＶＩＤＥＯ￥ＣＬＩＰ０００１￥０００１．ＭＰＧ」を複製、編集した「￥ＶＩＤＥＯ￥ＣＬＩＰ０００１￥Ｐ００３＿０００１．ＭＰＧ」ファイル１３０７が作成される（図１３を参照）（ステップＳ１２０３）。その後、送信リストに登録された「人物Ａ」のアドレス「ａａａ＠ａ１．ａｂｃｄ．ｎｅ．ｊｐ」に動画像ファイル「￥ＶＩＤＥＯ￥ＣＬＩＰ０００１￥０００１．ＭＰＧ」が送信され、「人物Ｂ」のアドレス「ｂｂｂ＠ａ１．ａｂｃｄ．ｎｅ．ｊｐ」に動画像ファイル「￥ＶＩＤＥＯ￥ＣＬＩＰ０００１￥０００１．ＭＰＧ」及びプレイリスト「￥ＶＩＤＥＯ￥ＣＬＩＰ０００１￥Ｐ００２＿０００１．ＰＬＳ」が送信され、「人物Ｃ」のアドレス「ｃｃｃ＠ａ１．ａｂｃｄ．ｎｅ．ｊｐ」に編集された動画像ファイル「「￥ＶＩＤＥＯ￥ＣＬＩＰ０００１￥Ｐ００３＿０００１．ＭＰＧ」が送信される（ステップＳ３２８）。
【００４５】
以上述べたように、本実施形態に係るデジタルビデオカメラでは、動画撮影中全編にわたって被写体の人物を検出して顔認証し、顔認証された人物を選択可能に提示して、動画像ファイルの送信先として選択できるようにした。これにより、撮影した動画像データを、簡単かつ確実に、被写体となった人物に送信することができる。しかも、動画像ファイルに基づいて作成されたプレイリストを合わせて送信したり、動画像ファイルを複製、編集して特定の人物が登場している部分を抜き出した動画像ファイルを送信したりすることができ、被写体となった人物ごとに、最適な動画を送信することができる。
【００４６】
なお、第１、２の実施形態では、動画撮影後に表示されるインデックス画面において、データベースに登録されている顔認証用画像のサムネイル画像５０３〜５０５を選択用画像として表示するとしたが、それに限定されるものではない。例えば動画像データから抜き出した各人物が写っている動画像や静止画像のサムネイル画像を表示するようにしても良い。図１８に示すインデックス画面の例では、顔認証用画像のサムネイル画像５０３〜５０５と並列に、動画像データから抜き出した各人物が移っている動画像のサムネイル画像１８０１〜１８０３を表示した例を示す。
【００４７】
（その他の実施形態）
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
0005979984.tif 000002
【図２】
0005979984.tif 000003
【図３Ａ】
0005979984.tif 000004
【図３Ｂ】
0005979984.tif 000005
【図４】
0005979984.tif 000006
【図５】
0005979984.tif 000007
【図６】
0005979984.tif 000008
【図７】
0005979984.tif 000009
【図８】
0005979984.tif 000010
【図９】
0005979984.tif 000011
【図１０】
0005979984.tif 000012
【図１１】
0005979984.tif 000013
【図１２Ａ】
0005979984.tif 000014
【図１２Ｂ】
0005979984.tif 000015
【図１３】
0005979984.tif 000016
【図１４】
0005979984.tif 000017
【図１５】
0005979984.tif 000018
【図１６】
0005979984.tif 000019
【図１７】
0005979984.tif 000020
【図１８】
0005979984.tif 000021